(57)【要約】【課題】  身頃を形成する筒状編地に前後２層状の重なり部分を有する開き部を備えた袖付きニットウェアを、任意の風合いにするとともに、効率よく編成する。【解決手段】一方の袖８ａを筒状に編成した後、襟首部５側と裾６側とを結ぶ方向が針床の長手方向に対して平行となるようにして、身頃を形成する筒状編地１を一端側２１から編み出し、後身頃２Ｂと右前身頃２Ｆｒを所定コース数編成し、実後前身頃２Ｆｒの開口部側端部２２を伏目して編針から払い、続いて左前身頃２Ｆｌを右前身頃２Ｆｌと同じ編成領域において編成する。前後の身頃を所定コース数編成した後、他方の袖８ｂを編成するとともに筒状編地１を他端側２４で伏目する。【選択図】  図２
2009068118.tif 000002
【特許請求の範囲】
【請求項１】
左右方向に延び、かつ前後方向に対向する少なくとも一対の針床を有する汎用の横編機を用いて、身頃を形成する筒状編地の前後一方の編地に開き部を有し、該開き部の両側の編地が前後２層状の重なり部分を形成する袖付きニットウェアを編成する方法であって、以下のステップを含むことを特徴とする編成方法；
（１）一方の袖を筒状に編成するステップ、
（２）前記一方の袖の編み終わりに続けて、襟首部側と裾側とを結ぶ方向が針床の長手方向に対して平行となるようにして、身頃を形成する筒状編地を一端側から編み出すステップ、
（３）開き部を有しない側の身頃の編地を一方の針床へ移しておいて、開き部の一方側の編地を所定コース数編成し、開き部の一方側の編地を他方の針床へ移しておいて、開き部を有しない側の身頃の編地を所定コース数編成するステップ、
（４）前記一方側の編地の最終コースの編目列を伏目して、編針から払うステップ、
（５）開き部の他方側の編地を前記一方側の編地と同じ編成領域で編成するステップ。
【請求項２】
前記他方側の編地を、前記一方側の編地とは異なる編成領域で編み出して所定コース数の編成を行い、前記ステップ（４）の後で、前記一方側と同じ編成領域へ移動することを特徴とする、請求項１の編成方法。
【請求項３】
前記ステップ（４）の後で、前記他方側の編地を前記一方側の編地と同じ編成領域で編み出すことを特徴とする、請求項１の編成方法。
【発明の詳細な説明】
【技術分野】
【０００１】
本発明は、重なり部分を有する開き部を備えた袖付きニットウェアを編成する方法に関する。
【背景技術】
【０００２】
例えばカーディガンやジャケットなどの袖付きニットウェアでは、筒状に編まれる身頃のうち、前身頃は右前身頃と左前身頃とに分かれて開き部を形成している。これら左右の前身頃は、着用時に重ねられてボタンなどで固定される。横編機を用いてこのようなニットウェアを編成する方法として、後身頃および重なり部分を有する左右の前身頃とを針床上で前後３層状の編地として編成する方法がある。ただし、この方法では前後針床の編針を中間の編地の編成に割り当てる必要があり、各編地に対応する編針は互いに間隔が広がって、編地は編目の粗い風合いになる。
【０００３】
これに対し、前後身頃の境界部を後身頃の編成に使用する針床上に位置させた状態で、Ｃ字状の引き返し編成を行う方法が特許文献１で開示されている。この編成方法によれば、左右の前身頃はその端部を互いに突き合わせた状態で重なり部分を形成することなく編針に係止されるので、任意の風合いの編地を編成することができる。
【特許文献１】国際公開第ＷＯ２００６／１２９６８６号パンフレット
【発明の開示】
【発明が解決しようとする課題】
【０００４】
特許文献１に記される従来の編成方法では、前後身頃の境界部を後身頃の編成に使用する針床側へ回し込んだ状態で編成するが、身頃と袖を接合する際には前後身頃の境界部を前後の針床間へ回し戻す工程を必要とする。開き部の重なり部分の幅が大きいほど回し込み量も大きくなるため、このような場合は接続の際の回し戻しにかかる編成時間も長くなる。
【０００５】
本発明の目的は、重なり部分を有する開き部を備えた袖付きニットウェアを、任意の風合いにするとともに、効率よく編成することである。
【課題を解決するための手段】
【０００６】
本発明の編成方法は、左右方向に延び、かつ前後方向に対向する少なくとも一対の針床を有する汎用の横編機を用いて、身頃を形成する筒状編地の前後一方の編地に開き部を有し、該開き部の両側の編地が前後２層状の重なり部分を形成する袖付きニットウェアを編成する方法であって、以下のステップを含むことを特徴とする。
（１）一方の袖を筒状に編成するステップ、
（２）前記一方の袖の編み終わりに続けて、襟首部側と裾側とを結ぶ方向が針床の長手方向に対して平行となるようにして、身頃を形成する筒状編地を一端側から編み出すステップ、
（３）開き部を有しない側の身頃の編地を一方の針床へ移しておいて、開き部の一方側の編地を所定コース数編成し、開き部の一方側の編地を他方の針床へ移しておいて、開き部を有しない側の身頃の編地を所定コース数編成するステップ、
（４）前記一方側の編地の最終コースの編目列を伏目して、編針から払うステップ、
（５）開き部の他方側の編地を前記一方側の編地と同じ編成領域で編成するステップ。
【０００７】
また、発明の編成方法は、前記他方側の編地を、前記一方側の編地とは異なる編成領域で編み出して所定コース数の編成を行い、前記ステップ（４）の後で、前記一方側と同じ編成領域へ移動することを特徴とする。
【０００８】
また、本発明の編成方法は、前記ステップ（４）の後で、前記他方側の編地を前記一方側の編地と同じ編成領域で編み出すことを特徴とする。
【発明の効果】
【０００９】
本発明の編成方法によれば、開き部の両側の編地が重なり部分を有する袖付きニットウェアの編成において、開き部の一方側の編地の最終コースの編目列を伏目して編針から払った後、引き続き前記一方側の編地と同じ編成領域において他方側の編地の編成を行うので、身頃の筒状編地は前後３層状の編地を形成せず、任意の風合いに編成できる。さらに、前後身頃の側端部は常に前後針床の間に位置するため、袖と身頃を接続するために身頃を回し込む必要がなく、効率よく編成できる。
【００１０】
また、本発明の編成方法によれば、開き部の両側の編地を異なる領域で編み出して編成し、一方側の編地を編み終えて編針から払った後、他方側の編地を前記一方側の編地の編成領域へ移動するので、一方側の編地が編み終わる前に他方側の編地をある程度まで編成することができ、編成時間を短縮することができる。
【００１１】
また、本発明の編成方法によれば、開き部の両側の編地に関して、その一方側の編地を編み終えて編針から払った後、前記一方側と同じ編成領域で他方側の編地を編み出すので、編幅の狭い横編機を用いる場合や、針床長手方向に複数の編地を並べて同時に編成する場合でも、本件編成方法を実施することができる。
【００１２】
なお、本発明における身頃を形成する筒状編地は、前後一方の編地に開き部を有するため、実質的には断面がＵ字状の編地となる。
【発明を実施するための最良の形態】
【００１３】
次に本発明の実施の形態を、図面に基づいて詳細に説明する。なお、以下に示す実施例では、左右方向に延び、かつ前後方向に対向する少なくとも一対の針床を有する汎用の横編機を用いて、重なり部分を有する開き部を備えたニットウェアの編成を行う。汎用の横編機は、前後の針床の少なくとも一方が左右にラッキング可能で、かつ前後の針床間で編目の目移しが可能であることが公知である。
【００１４】
（実施例１）
図１は、本発明の編成方法により得られる袖付きニットウェアであるカーディガン（編地）の外観である。図１（ａ）は正面図であり、正面図におけるＡ−Ａ´の断面形状を図１（ｂ）に示す。両袖８ａ，８ｂは身頃２の両肩付近に接続されている。身頃２を形成する筒状編地は前身頃２Ｆと後身頃２Ｂとから成り、前身頃２Ｆは右前身頃２Ｆｒと左前身頃２Ｆｌとに別れてこれらの間に開き部３を有している。開き部３では、開き部の一端側の編地である右前身頃２Ｆｒと開き部の他端側の編地である左前身頃２Ｆｌとの一部が前後２層状に重なって、重なり部分４を形成する。重なり部分４には例えばボタンとボタンホールが設けられ、着用時に左右の前身頃を固定するために利用される。
【００１５】
図２は本発明の編成方法の概略的な工程を示す図である。本実施例では、カーディガンを一方の袖口から編み出し、前身頃に開き部を形成しながら身頃を側面の一端から他端へ向けて編成していき、他方の袖口まで編成して形成する。なお、図中の左にある数字は工程数である。紙面の左右方向が横編機の針床の長手方向であり、図示しない前後の針床が編地を挟むように紙面の前後に位置するものとする。
【００１６】
以下、図２を参照して本件発明の編成工程について説明する。前後の針床には編目を形成する編針の間に空き針を設けて、目移しや伏目に利用する。なお、理解を容易にするため、本実施の形態では身頃を形成する筒状編地は天竺編みで行うものとするが、リブ編みや柄を設けることも可能である。
【００１７】
工程１では、袖口７ａを筒状に編み出した後、袖８ａを筒状に編成する。袖８ａの最終コースの編目列を係止する編針と、袖８ａの編幅に隣接する部分の前後針床の空き針とを用いて、身頃２を身頃の一端側２１から編み出す。前記編み出しに続き、それぞれ異なる給糸口からの編糸を用いて、一方の針床の編針で開き部３の一方側の編地となる右前身頃２Ｆｒを、他方の針床の編針で後身頃２Ｂを所定コース数編成する。身頃２は襟首部５と裾６側に開口するように形成するとともに、肩部分では前後の身頃を接続する。一方の針床における右前身頃２Ｆｒの編成では、襟首部５付近で編幅を順次減らしてＶ首形状の一方側を形成していき、最終コースの編目列である開口部側端部２２で公知の伏目を行って針床の編針から編地を払う。他方の針床における後身頃２Ｂの編成は、以降の工程においても継続して行う。なお、工程１では、前記説明した編地とは別に、他の編幅領域において開き部３の他方側の編地となる左前身頃２Ｆｌを編成する。開口部側端部２３から編み出して、編幅を順次増やしてＶ首形状の他方側を形成しながら所定コース数の編成を行なう。
【００１８】
工程２では、工程１で右前身頃２Ｆｒの編成に用いた編成領域の編針に対して、左前身頃２Ｆｌを目移しする。このとき、右前身頃２Ｆｒはすでに針床の編針から払われて前後針床の下方へ位置しており、前記編成領域において左前身頃２Ｆｒとの干渉は生じない。
【００１９】
工程３では、工程２で目移しした左前身頃２Ｆｌと工程１で編成した後身頃２Ｂとを、それぞれ異なる給糸口の編糸を用いて肩部分で接続しながら所定コース数の編成を行う。身頃の他端側２４において、袖８ｂを続けて編成開始するとともに、他の編幅領域では伏目を行って身頃２の編成を終える。そして、袖８ｂに終端に袖口７ｂを形成し、伏目して編み終える。
【００２０】
以上、実施例１に示した編成方法によれば、重なり部分を有する開き部の両側の編地を同じ編成領域において個別に編成するので、特許文献１のように左右の前身頃を後身頃側に回して編成し、袖と接続する際に回し戻す工程を必要としない。これにより、任意の風合いの袖付きニットウェアを効率よく編成することができる。
【００２１】
（実施例２）
次に、本発明の他の実施の形態について、図２を参照して以下に実施例２として説明する。実施例２は、前記した実施例１の方法と基本的には同様であり、実施例１では異なる編成領域で編み出した左右の前身頃（２Ｆｒ，２Ｆｌ）を、同じ編成領域で編み出すことを特徴とする。
【００２２】
工程１では、身頃２を袖口７ａから編み出し、右前身頃２Ｆｒを開口部側端部２２で伏目して編針から払うまでの編成を、実施例１と同様に行う。このとき、左前身頃２Ｆｌの編成は行わない。続く工程２では、工程１で右前身頃２Ｆｒの編成に用いた編成領域の編針で、左前身頃２Ｆｌを開口部側端部２３から編み出し、編幅を順次増やしてＶ首形状の他端側を形成しながら所定コース数編成する。そして工程３では、実施例１と同じ編成を行い、カーディガンの編成を終える。
【００２３】
以上、実施例２に示した編成方法によれば、左右の前身頃を同じ編成領域で編成するため、身頃の編幅だけで袖付き編地を編成できるので、編幅の狭い横編機を用いる場合や、針床長手方向に複数の編地を並べて同時に編成する場合でも、本件編成方法を実施することができる。
【図面の簡単な説明】
【００２４】
【図１】本発明により編成される、重なり部分を有する開き部を備えたニットウェアを示す正面図である。
【図２】本発明の実施の一形態としての重なり部分を有する開き部を備えたニットウェアの概略的な編成の流れを示す図である。
【符号の説明】
【００２５】
１                カーディガン
２                身頃
２Ｆ              前身頃
２Ｆｒ            右前身頃
２Ｆｌ            左前身頃
２Ｂ              後身頃
２１              身頃の一端側
２２              開口部側端部
２３              開口部側端部
２４              身頃の他端側
３                開き部
４                重なり部分
５                襟首部
６                裾
７ａ，７ｂ        袖口
８ａ，８ｂ        袖
【図１】
2009068118.tif 000003
【図２】
2009068118.tif 000004